(57)【要約】【課題】カメラ本体からアダプタリングを容易に取り外すことが可能なカメラアクセサリを提供する。【解決手段】ねじ込み式のアクセサリ取付部２を備えたカメラ本体１にアダプタリング４を介して取り付けられるカメラアクセサリ３であって、アダプタリング４をカメラアクセサリ３とともにカメラ本体１から取り外す際に、カメラアクセサリ３に加えられるトルクをアダプタリング４へ伝達するための伝達手段１３を有することを特徴とする。【選択図】図２
2006113214.tif 000002
【特許請求の範囲】
【請求項１】
ねじ込み式のアクセサリ取付部を備えたカメラ本体にアダプタリングを介して取り付けられるカメラアクセサリであって、
前記アダプタリングを前記カメラアクセサリとともに前記カメラ本体から取り外す際に、前記カメラアクセサリに加えられるトルクを前記アダプタリングへ伝達するための伝達手段を有することを特徴とするカメラアクセサリ。
【請求項２】
前記伝達手段は、前記アダプタリングに係止自在な係止部材からなることを特徴とする請求項１に記載のカメラアクセサリ。
【請求項３】
前記カメラアクセサリは回転部を有し、
前記回転部の回転を必要に応じて制限するための回転制限手段をさらに有することを特徴とする請求項１又は請求項２に記載のカメラアクセサリ。
【請求項４】
前記カメラアクセサリは、アングルファインダーであることを特徴とする請求項１から請求項３のいずれか１項に記載のカメラアクセサリ。
【発明の詳細な説明】
【技術分野】
【０００１】
本発明は、カメラアクセサリ、特にねじ込み式のアクセサリ取付部を備えたカメラ本体にアダプタリングを介して取り付けられるカメラアクセサリに関する。
【背景技術】
【０００２】
従来、アングルファインダー等のようなカメラアクセサリを取り付けるためのねじ込み式のアクセサリ取付部を備えたカメラ本体に対する、前記取付部とねじ径の異なるアクセサリの取り付けは、ねじ径やねじのピッチを変換するアダプタリングを介して行われている。
【０００３】
また通常、カメラ本体のアクセサリ取付部にアクセサリをねじ込む場合、ねじを締め終わることでアクセサリが固定されるが、このねじを締め終わったときのアクセサリの向きは常に一定にはならない。このため、撮影者が覗き込む方向を設定して使用するアングルファインダー等のようなアクセサリは、アクセサリ取付部に固定した後でその向きを調整するとねじが緩んでしまうという問題があった。
【０００４】
このため、弾性部材の反発力による摩擦を利用してアクセサリにおけるねじ部を回転調整可能にするフリクション機構を備えたアクセサリが提案されている（例えば、特許文献１を参照。）。斯かるアクセサリは、アクセサリ取付部にねじ固定した後で、アクセサリを所望の向きに調整することが可能となる。また、フリクション機構を備えたアクセサリには、フリクション部すなわち回転調整可能なねじ部の回転をロックする機構をさらに備えたものも提案されており、斯かるアクセサリではアクセサリ取付部から取り外す際に、ねじ部に強いトルクをかけることができ、容易に取り外しを行うことが可能となる。
【特許文献１】特開平１１−２０５６３７号公報
【発明の開示】
【発明が解決しようとする課題】
【０００５】
しかしながら、アダプタリングを用いてカメラ本体のアクセサリ取付部にアクセサリを取り付けた場合、アクセサリ取付部からアクセサリを取り外す際に、アクセサリを取り外しても強くねじ込まれたアダプタリングがアクセサリ取付部に取り残されて、外れなくなってしまうという問題があった。
また特にフリクションロック機構を備えたアクセサリにおいては、当該アクセサリをアダプタリングとともにアクセサリ取付部から取り外すことができても、フリクション部とアダプタリングとが強くねじ込まれていて取り外すことが困難になってしまうという問題もあった。
【０００６】
そこで本発明は上記問題点に鑑みてなされたものであり、カメラ本体からアダプタリングを容易に取り外すことが可能なカメラアクセサリを提供することを目的とする。
【課題を解決するための手段】
【０００７】
上記課題を解決するために本発明は、
ねじ込み式のアクセサリ取付部を備えたカメラ本体にアダプタリングを介して取り付けられるカメラアクセサリであって、
前記アダプタリングを前記カメラアクセサリとともに前記カメラ本体から取り外す際に、前記カメラアクセサリに加えられるトルクを前記アダプタリングへ伝達するための伝達手段を有することを特徴とするカメラアクセサリを提供する。
【０００８】
また本発明のカメラアクセサリは、
前記伝達手段は、前記アダプタリングに係止自在な係止部材からなることを特徴とする。
【０００９】
また本発明のカメラアクセサリは、
回転部を有し、
前記回転部の回転を必要に応じて制限するための回転制限手段をさらに有することを特徴とする。
【００１０】
また本発明のカメラアクセサリは、
アングルファインダーであることを特徴とする。
【発明の効果】
【００１１】
本発明によれば、カメラ本体からアダプタリングを容易に取り外すことが可能なカメラアクセサリを提供することができる。
【発明を実施するための最良の形態】
【００１２】
以下、本発明の実施の形態に係るカメラアクセサリであるアングルファインダーについて添付図面に基づいて詳細に説明する。
図１は、本発明の実施の形態に係るカメラアクセサリであるアングルファインダーをアダプタリングを介してカメラ本体に取り付けた様子を示す断面図である。
図１に示すように、カメラ本体１のアクセサリ取付部２に対し、当該取付部２とねじ径の異なる本実施形態に係るアングルファインダー３は、アダプタリング４を介して取り付けられる。ここで、アダプタリングは、カメラ本体のアクセサリ取付部と該取付部とねじ径やねじのピッチの異なるカメラアクセサリとを接続するために、前記取付部と螺合する雄ねじ部とアクセサリと螺合する雌ねじ部とを備えた円環部材であって、本実施形態においてはその外周面に切り欠き部５が２箇所設けられている（図６を参照。）。ここで図６（ａ）は、本実施形態において用いられているアダプタリングの形状を示す図であり、図６（ｂ）及び（ｃ）はその異なる態様を示す図である。
【００１３】
図２（ａ）は、本実施の形態に係るアングルファインダー及びアダプタリングの要部を示す、図１断面と直交する方向の拡大断面図（図１中Ａ−Ａ’縦断面図）である。なお、本実施形態は左右対称の形状であるため図２（ａ）では片側のみを示している。また図２（ｂ）は、本実施の形態に係るアングルファインダーの上側要部断面図（図２（ａ）Ｂ−Ｂ’断面図）である。そして図３は、本実施の形態に係るアングルファインダーをカメラ本体側から見た部分断面図である。
図２（ａ）に示すように、ファインダー本体６の内周面には円筒形状の固定筒７が固定されており、この固定筒７の外側には接触面８を介して回転摺動可能に円環形状の取付リング９が外挿されている。
【００１４】
取付リング９は、その外周面に、アダプタリング４の内周面に設けられている雌ねじ部に螺合する雄ねじ部が形成されており、さらにカメラ本体１と反対側の端面には円周方向に沿って図３に示すような凸部１０が複数個設けられている。斯かる形状の取付リング９は、固定筒７に取り付けられた押さえナット１１によってウェーブワッシャばね１２を介してファインダー３の光軸方向（図中上方）へ付勢されており、この付勢力によって取付リング９と固定筒７との接触面８に摩擦力が生じ、取付リング９を回転させる際には所定値以上の回転トルクを与えないと回転できない構成となっている（以上、フリクション機構。）。
【００１５】
通常、アングルファインダーをカメラ本体にねじ固定した後でその向きを調整しようとする場合、ねじ部を締め増したり緩めたりする必要があり、締め増しには強い力（回転トルク）をねじ部にかけなければならないことや緩めればねじ部にガタが生じてしまうこと等の問題がある。これに対し本実施形態に係るアングルファインダー３は、カメラ本体１にある程度の回転トルクでねじ固定した後で、上述のフリクション機構によって取付リング９を回転させることで、ねじ固定の締結力を維持しながらアングルファインダー３を所望の方向に調整して固定することができる。
【００１６】
また、ファインダー本体６の外側には、光軸方向へスライド可能に押しボタン１３が露出しており、図２（ｂ）に示すようにばね１４によって光軸方向（図中上方）へ付勢されている。また、押しボタン１３のカメラ本体１側には光軸方向へ延びた突出部１５が設けられており、押しボタン１３をカメラ本体１側へスライドさせた際に、この突出部１５はファインダー本体３のカメラ本体１側端面に設けられた開口部１６より外部に突出させることができる（後述の図５を参照。）。さらに、押しボタン１３は、レバー１７によって常に外側に向かって付勢されている。
【００１７】
レバー１７は、図３に示すように回転軸１８を中心に回動可能に備えられており、その一端がばね１９に連結されて常に引っ張られており、これによって他端はファインダー本体３の外側へ向かって付勢されている。したがって押しボタン１３は、斯かるレバー１７によって常に外側へ向かって付勢されることとなる。また、レバー１７の前記他端には、ファインダー本体３の内側へ向かってＬ字型に延在するＬ字部２０が設けられている。
【００１８】
以上の構成の下、使用者が押しボタン１３を押し込むことによってレバー１７も押し込まれ、レバー１７のＬ字部２０は上述の取付リング９に設けられた複数の凸部１０どうしの間に入り込む（図４を参照。）。これにより、取付リング９を回転させようとした場合、凸部１０がレバー１７のＬ字部２０に当接し、その回転が制限されることとなる。この回転制限により、上述のフリクション機構によって所定値以上の回転トルクで回転可能に設けられた取付リング９の回転をロックすることができる（以上、フリクションロック機構）。ここで図４は、本実施の形態に係るアングルファインダーにおいて押しボタンを押した状態（フリクションロック状態）を示す図である。
斯かるフリクションロック機構を用いることによって、カメラ本体１に対して詳細にはアダプタリング４に対して、アングルファインダー３を取り付ける際や取り外す際に、フリクション機構の摩擦力以上の回転トルクを取付リング９にかけることが可能となる、すなわちアングルファインダー３の取り付け及び取り外しを容易に行うことが可能となる。
【００１９】
また、以上の構成の下、使用者が押しボタン１３を押し込みつつカメラ本体１側へスライドさせることで、上述のように押しボタン１３の突出部１５はファインダー本体６の開口部１６より外部へ突出する。そしてこの突出部１５はアダプタリング４に設けられている上述の切り欠き部５に入り込んで嵌合する（図５を参照。）。これにより、アングルファインダー３を回転させようとした場合、突出部１５がアダプタリング４の切り欠き部５と嵌合しているため、その回転は禁止されることとなる（以上、アダプタリング固定機構。）。ここで図５は、本実施の形態に係るアングルファインダーにおいて押しボタンを押してスライドさせた状態（アダプタリング固定状態）を示す図である。
斯かるアダプタリング固定機構によって、アングルファインダー３をアダプタリング４を介してカメラ本体１に取り付ける際には、アングルファインダー３に加えた回転トルクをアダプタリング４に確実に伝達してカメラ本体１に対してしっかりとねじ固定することができる。またアングルファインダー４をカメラ本体１から取り外す際には、同様に回転トルクを伝達し、アングルファインダー３とアダプタリング４とを一体的に容易に取り外すことができる。
【００２０】
以上より、本実施の形態に係るアングルファインダー３は、アダプタリング４を介してカメラ本体１に取り付ける際に、まず前述のアダプタリング固定機構によってアダプタリング４のアングルファインダー３に対する回転を禁止し、アダプタリング４のカメラ本体１へのねじ固定を確実かつ容易に行うことができる。そして、上述のフリクションロック機構によって取付リング９のファインダー本体６に対する回転を制限し、取付リング９のアダプタリング４へのねじ固定を確実かつ容易に行うことができる。なお、これらのねじ固定終了後には、上述のフリクション機構によって取付リング９に対してアングルファインダー本体６を回転させて所望の向きに調整することができる。
【００２１】
逆に、本実施の形態に係るアングルファインダー３をカメラ本体１から取り外す際には、まず前述のアダプタリング固定機構によってアダプタリング４のアングルファインダー３に対する回転を禁止することで、カメラ本体１からアングルファインダー３をアダプタリング４とともに確実かつ容易に取り外すことができる。そして、アングルファインダー３からアダプタリング４を取り外す際には、上述のフリクションロック機構によって取付リング９のファインダー本体６に対する回転を制限することで、取付リング９に固定されているアダプタリング４が該取付リング９とともに空回りすることなく、取付リング９からアダプタリング４を確実かつ容易に取り外すことができる。
【００２２】
なお、本実施の形態ではカメラアクセサリの一例としてアングルファインダーを示しているが、本発明は接眼部側のカメラアクセサリに限られず、フィルタ等のレンズ側に取り付けられるねじ込み式のカメラアクセサリにも適用することができる。
【図面の簡単な説明】
【００２３】
【図１】本発明の実施の形態に係るカメラアクセサリであるアングルファインダーをアダプタリングを介してカメラ本体に取り付けた様子を示す断面図である。
【図２】（ａ）は、本実施の形態に係るアングルファインダー及びアダプタリングの要部を示す、図１断面と直交する方向の拡大断面図（図１中Ａ−Ａ’縦断面図）であり、（ｂ）は、本実施の形態に係るアングルファインダーの上側要部断面図（図２（ａ）Ｂ−Ｂ’断面図）である。
【図３】本実施の形態に係るアングルファインダーをカメラ本体側から見た部分断面図である。
【図４】本実施の形態に係るアングルファインダーにおいて押しボタンを押した状態（フリクションロック状態）を示す図である。
【図５】本実施の形態に係るアングルファインダーにおいて押しボタンを押してスライドさせた状態（アダプタリング固定状態）を示す図である。
【図６】（ａ）は、本実施形態において用いられているアダプタリングの形状を示す図であり、（ｂ）及び（ｃ）はその異なる態様を示す図である。
【符号の説明】
【００２４】
１    カメラ本体
３    アングルファインダー
４    アダプタリング
７    固定筒
９    取付リング（回転部）
１０  凸部
１３  押しボタン（伝達手段（係止部材））
１５  突出部
１７  レバー（回転制限手段）
２０  Ｌ字部
【図１】
2006113214.tif 000003
【図２】
2006113214.tif 000004
【図３】
2006113214.tif 000005
【図４】
2006113214.tif 000006
【図５】
2006113214.tif 000007
【図６】
2006113214.tif 000008